(57)【要約】【課題】  基板の外形やサイズに複数のバリエーションがあっても、チップを移動規制した状態で収納できる収納容器を提供すること。【解決手段】  収納容器１０は、チップＣの出し入れ口が上方に形成された収納部１１を備えている。収納部１１は、チップＣの基板Ｋを略水平方向に向け、且つ、チップＣの端子Ｂを下向きとしてチップＣを収納可能に設けられている。収納部１１は、出し入れ口１８を形成する周壁部１９と、基板Ｋの外周側を囲う起立部２０と、この起立部２０の下部に連設されて基板Ｋの下面が載置される載置部２２と、この載置部２２の内方端部から下方に延びる当接部２３とを備えている。収納部１１がチップＣを収納したときに、当接部２３は、端子Ｂに当接してチップＣの略水平方向の移動を規制し、基板Ｋと起立部２０とが非接触となる。【選択図】      図４
2006273347.tif 000002
【特許請求の範囲】
【請求項１】
上方にチップの出し入れ口が形成された収納部を有する収納容器において、
前記チップは、略方形状をなす基板と、この基板の少なくとも一方の面から突出する多数の端子とを含み、
前記収納部は、基板を略水平方向に向け、且つ、端子を下向きとしてチップを収納したときに、基板の外周側を囲う起立部と、この起立部の下部に連設されて基板の下面が載置される載置部と、載置部の内側に設けられるとともに、前記端子の外周面に当接可能な当接部とを備え、
前記チップの収納時に、当接部は、前記端子に当接してチップの略水平方向の移動を規制することを特徴する収納容器。
【請求項２】
前記出し入れ口の周辺領域には、チップを収納部内に案内するガイド部が設けられ、当該ガイド部は、出し入れ口を囲う位置に所定間隔を隔てて設けられた複数の突起状部により構成されていることを特徴する請求項１記載の収納容器。
【請求項３】
前記各突起状部は、下方に向かうに従って幅広となる傾斜面を出し入れ口側に備えていることを特徴する請求項２記載の収納容器。
【請求項４】
前記収納部の下部に補助収納部が設けられ、この補助収納部は、前記出し入れ口を下方に向けたときに、チップを下側から保持した状態で収納可能に設けられていることを特徴する請求項１，２又は３記載の収納容器。
【請求項５】
前記収納部の下部には、複数の突起体を備えた補助収納部が設けられ、この補助収納部は、前記出し入れ口を下方に向けたときに、チップを下側から保持した状態で収納可能に設けられる一方、前記各突起体は、平面視で隣り合う突起状部の間に位置することを特徴する請求項２又は３記載の収納容器。
【請求項６】
前記収納部は複数設けられるとともに、板状の連結体を介して一体化され、この連結体の外周部には少なくとも下方に突出する枠状体が形成される一方、連結体の下面側には、枠状体の下面位置と略同一高さの先端面を有する位置決め突部が設けられていることを特徴する請求項１ないし５の何れかに記載の収納容器。
【請求項７】
略方形状をなす基板を備えたチップの出し入れ口が上方に形成された収納部と、出し入れ口の周辺領域に設けられてチップを収納部内に案内するガイド部とを含み、
前記ガイド部は、出し入れ口を囲う位置に所定間隔を隔てて設けられた複数の突起状部により構成されることを特徴する収納容器。
【発明の詳細な説明】
【技術分野】
【０００１】
本発明は、収納容器に係り、更に詳しくは、種々のチップを収納することができ、チップを内部にスムースに収納することができる収納容器に関する。
【背景技術】
【０００２】
従来より、ＢＧＡ型（ボールグリッドアレイ）やＣＳＰ型（チップサイズパッケージ）等、基板の一方の面に複数の突起状の端子を有する面実装型のチップが利用されており、このチップを搬送若しくは保管する収納容器として、例えば、特許文献１に開示されるタイプのものが知られている。同文献の図１４の構造では、チップにおける基板の外周と、収納容器の内周面とにテーパ面をそれぞれ形成し、これらテーパ面が面接触するように設けられている。また、同文献の図１５では、基板の外周及び収納容器の内周面に段部をそれぞれ形成し、これら段部が相互に嵌り合うように形成されている。このような構成によれば、収納容器の上部に位置する出し入れ口からチップを収納したときに、テーパ面や段部を介してチップが水平方向に移動することを規制できるようになっている。
【０００３】
【特許文献１】特開平１１−２５１４９３号公報
【発明の開示】
【発明が解決しようとする課題】
【０００４】
しかしながら、特許文献１の構成にあっては、収納容器の内周面を、基板に対応した形状に形成することが不可避となる。つまり、基板の外形やサイズが変わると、それに併せて収納容器を作成する必要があり、ひいては、収納容器の種類が膨大となって製造コストや管理負担が増大するという不都合がある。特に、チップは、回路構成によって基板の外形やサイズに多数のバリエーションがあるため、前記不都合が顕出することとなる。
【０００５】
また、収納容器の出し入れ口を通じてチップを落とし込む場合、チップに位置ずれが生じると、チップが出し入れ口から部分的にはみ出る等、不完全な収納状態になり易いという不都合を招来する。これは、チップの移動を規制すべく、基板の端面と、これに沿う収納容器の形成面との間に隙間が殆どないことに起因する。
【０００６】
［発明の目的］
本発明は、このような不都合に着目して案出されたものであり、その目的は、基板の外形やサイズに複数のバリエーションがあっても、チップを移動規制した状態で収納することができる収納容器を提供することにある。
【０００７】
本発明の他の目的は、収納部内の所定位置にチップをスムースに収納することができる収納容器を提供することにある。
【課題を解決するための手段】
【０００８】
前記目的を達成するため、本発明は、上方にチップの出し入れ口が形成された収納部を有する収納容器において、
前記チップは、略方形状をなす基板と、この基板の少なくとも一方の面から突出する多数の端子とを含み、
前記収納部は、基板を略水平方向に向け、且つ、端子を下向きとしてチップを収納したときに、基板の外周側を囲う起立部と、この起立部の下部に連設されて基板の下面が載置される載置部と、載置部の内側に設けられるとともに、前記端子の外周面に当接可能な当接部とを備え、
前記チップの収納時に、当接部は、前記端子に当接してチップの略水平方向の移動を規制する、という構成が採用されている。
【０００９】
本発明において、前記出し入れ口の周辺領域には、チップを収納部内に案内するガイド部が設けられ、当該ガイド部は、出し入れ口を囲う位置に所定間隔を隔てて設けられた複数の突起状部により構成されることが好ましい。
【００１０】
また、前記各突起状部は、下方に向かうに従って幅広となる傾斜面を出し入れ口側に備える、という構成も好ましくは採用される。
【００１１】
更に、前記収納部の下部に補助収納部が設けられ、この補助収納部は、前記出し入れ口を下方に向けたときに、チップを下側から保持した状態で収納可能に設けられる、という構成を採ることが好ましい。
【００１２】
また、前記収納部の下部には、複数の突起体を備えた補助収納部が設けられ、この補助収納部は、前記出し入れ口を下方に向けたときに、チップを下側から保持した状態で収納可能に設けられる一方、前記各突起体は、平面視で隣り合う突起状部の間に位置する、という構成を採用するとよい。
【００１３】
更に、前記収納部は複数設けられるとともに、板状の連結体を介して一体化され、この連結体の外周部には少なくとも下方に突出する枠状体が形成される一方、連結体の下面側には、枠状体の下面位置と略同一高さの先端面を有する位置決め突部が設けられるとよい。
【００１４】
また、本発明は、略方形状をなす基板を備えたチップの出し入れ口が上方に形成された収納部と、出し入れ口の周辺領域に設けられてチップを収納部内に案内するガイド部とを含み、
前記ガイド部は、出し入れ口を囲う位置に所定間隔を隔てて設けられた複数の突起状部により構成される、という構成も採用される。
【発明の効果】
【００１５】
本発明によれば、基板の端面と起立部の間に隙間を設けた場合であっても、当接部と端子とが当接してチップの略水平方向移動を規制することができる。特に、ＢＧＡ型やＣＳＰ型のチップにあっては、各端子の形成領域が規定化されるので、これに応じて当接部を形成し、且つ、前記隙間を大きく設定することにより、チップの前記移動規制を行いつつ、基板の外形やサイズに種々のバリエーションを有するチップを収納することができる。しかも、出し入れ口や載置部の平面積を広く確保することができ、収納部内にチップを容易に収納可能となる。
【００１６】
また、出し入れ口の周辺領域に複数の突起状部からなるガイド部を設けたから、出し入れ口の上方からチップを落とし込んで収納する際、チップに位置ずれが生じても、突起状部にチップを滑らせながら収納部内に案内することができる。このとき、突起状部にチップが散点的に接触することとなり、それらの摩擦抵抗を抑制してチップを収納部内にスムースに収納することが可能となる。
【００１７】
更に、下方に向かうに従って幅広となる傾斜面を突起状部が備えているから、チップを収納する前に基板の面内で回転する方向に位置ずれが生じた場合、傾斜面部上で基板の端面が滑りながら出し入れ口側に案内される。この際、傾斜面が下方に向かうに従って幅広となるので、傾斜面の面に沿うように基板の端部を向けて当該基板の向きを補正することができる。
【００１８】
また、収納部の下部に補助収納部を設けたから、これらの上下向きを変更しても、チップを下側から保持した状態で収納することができる。これにより、一の収納容器の収納部に対し、他の収納容器の補助収納部を重ねて各収納容器を上下反転させることにより、チップを裏返しつつ収納部から補助収納部に受け渡すことができ、チップの両面側を容易且つ迅速に表出させて当該両面の検査等に要する時間を短縮することが可能となる。
【００１９】
更に、補助収納部の各突起体が収納部の隣り合う突起状部の間に位置するので、前述のように収納部から補助収納部にチップを受け渡すときに、各突起体及び突起状部が組み合わされてチップの外周側を囲うようになり、前記受け渡しの確実性を高めることができる。
【００２０】
また、下方に突出する枠状体の下面と位置決め突部の先端面の高さを略同一としたから、片状部材等を介して収納容器を下側から持ち上げる場合、片状部材の上面に枠状体及び位置決め突部を載置することができる。このとき、片状部材の上面に対して連結体が略平行に保たれ、連結体の傾きを調整する作業等を省略することが可能となる。
【００２１】
なお、本明細書及び特許請求の範囲において、特に明示しない限り、「上」及び「下」は、図３及び図７を基準として用いる。
【発明を実施するための最良の形態】
【００２２】
以下、本発明の好ましい実施の形態について図面を参照しながら説明する。
【００２３】
図１には、実施形態に係る収納容器の平面図が示され、図２には、その底面図が示され、図３には、その正面図が示されている。また、図４には、図１の要部拡大斜視図が示されている。これらの図において、収納容器１０は、樹脂材料を用いた一体成形品により構成され、複数枚のチップＣ（図４参照）を同時に収納可能に設けられている。収納容器１０は、図１中縦方向及び横方向に沿って複数設けられた収納部１１と、各収納部１１の上側にそれぞれ位置するガイド部１２と、各収納部１１の下方にそれぞれ設けられた補助収納部１３と、各収納部１１を相互に連結して一体化する板状の連結体１５と、この連結体１５の外周に形成された枠状体１６とを備えて構成されている。
【００２４】
前記チップＣは、本実施形態では、ＢＧＡ型若しくはＣＳＰ型等の面実装型とされる。具体的には、図５（Ａ）及び（Ｂ）に示されるように、平面形状が略正方形状をなす基板Ｋと、この基板Ｋの図５（Ａ）中下面から突出する多数の端子Ｂとを備えている。基板Ｋには、図示しない回路が形成されている。各端子Ｂは、略半球面状に形成された突起電極（半田バンプ）により構成され、形成数、形成位置及びサイズが、例えば、ピッチ０．５ｍｍ、ボールサイズ幅０．３ｍｍ、突出高さ０．２４ｍｍに規定されている。従って、図５（Ｂ）中二点鎖線で示される領域、すなわち、基板Ｋの端面Ｋ１寄りに位置する端子Ｂの外側端部を結ぶ領域（以下の説明において、端子形成領域ＢＡとする）のサイズも、前述と同様に規定化される。本実施形態では、端子形成領域ＢＡは、略正方形となる平面形状とされ、その四辺と隣接する基板Ｋの端面Ｋ１との幅Ｗ１がそれぞれ略同一となるように設定されている。
【００２５】
前記収納部１１は、図４に示されるように、基板Ｋを略水平方向に向け、且つ、各端子Ｂを下向きとしてチップＣを内部に収納可能に設けられている。収納部１１は、図６ないし図８にも示されるように、連結体１５の上面から隆起するとともに、上方にチップＣの出し入れ口１８を形成する周壁部１９と、出し入れ口１８に連なって周壁部１９の内側に形成されるとともに、上下方向に沿って位置する起立部２０と、この起立部２０の下部に連設されて略水平となる載置部２２と、この載置部２２の内方端部から下方に延びる当接部２３と、この当接部２３の下端側に連なるとともに、連結体１５の上面と略同一面上に位置する底面部２４とを備え、出し入れ口１８の下方に収納空間Ａを形成する。収納部１１を平面視したときに、出し入れ口１８、周壁部１９、起立部２０、載置部２２及び当接部２３の外形は、略正方形状すなわち基板Ｋと相似形となっている。起立部２０及び当接部２３は、上部が若干外側に傾斜する面により形成されている。また、底面部２４の面内には、上下に貫通する貫通穴２５が形成されている。
【００２６】
ここで、チップＣとの比較において、収納部１１のサイズについて図９を用いて更に詳述すると、出し入れ口１８の一辺の長さＬ１及び起立部２０下部の一辺の長さＬ２は、基板Ｋの一辺の長さＬ３より大きくそれぞれ設定されている。載置部２２の幅Ｗ２は、基板Ｋの前記幅Ｗ１より大きく設定されている。また、前記端部形成領域ＢＡの一辺の長さＬ４と、当接部２３上部の一辺の長さＬ５とは、略同一に設定されている。これにより、収納空間Ａ内にチップＣを収納したときに、当接部２３が基板Ｋの端面Ｋ１寄りに位置する端子Ｂの外周面に当接し、チップＣの水平方向の移動を規制する（図７、図８参照）。この状態で、端子形成領域ＢＡの外方に位置する基板Ｋの下面が載置部２２上に載置され、また、基板Ｋの端面Ｋ１と起立部２０との間に隙間Ｓが生じるよう、基板Ｋの外周側が起立部２０により囲われる。
【００２７】
前記ガイド部１２は、図４、図６〜図８、図１０及び図１１に示されるように、出し入れ口１８の周辺領域すなわち前記周壁部１９の上面より立設された複数（本実施形態では六つ）の突起状部２７により構成されている。各突起状部２７は、出し入れ口１８を囲う位置に所定間隔を隔てて配置されている。具体的には、出し入れ口１８の一方の相対する端部すなわち図６中左右両端部の中央部と、他方の相対する端部すなわち同図中上下両端部の左右両側とにそれぞれ配置されている。
【００２８】
各突起状部２７の底部２７Ａは、平面形状が周壁部１９の外周と出し入れ口１８との間に延びる略長円状若しくは略長方形状に形成されている。一方、各突起状部２７の頂部２７Ｂは、平面視で前記底部２７Ａの領域内に収まるサイズの略円状若しくは略正方形状とされ、周壁部１９の外周よりに配置されている。また、底部２７Ａと頂部２７Ｂとの間における出し入れ口１８側には、略フラットとなる傾斜面２７Ｃが形成されている。この傾斜面２７Ｃは、その下端が出し入れ口１８に沿って位置するとともに、上方に向かうに従って出し入れ口１８から離れる方向に傾倒している。また、傾斜面２７Ｃは、下方に向かうに従って幅広の略台形となる面形状を備えている。
【００２９】
前記補助収納部１３、図１２にも示されるように、連結体１５の下面から下方に膨出するとともに、略正方形の平面形状をなす膨出部２９と、この膨出部２９を囲う位置に設けられた複数（本実施形態では六つ）の突起体３０とを備えている。膨出部２９の下面は、前記出し入れ口１８と略同一の平面サイズに形成されている。前記各突起体３０は、膨出部２９の四隅付近及び図９中上下両端部の中央部にそれぞれ配置され、図６に示されるように平面視で隣り合う突起状部２７の間に位置するようになっている。また、各突起体３０は、下方に向かうに従って先細となるテーパ面を備えた形状に設けられている。
【００３０】
前記連結体１５は、図１に示されるように、横長の長方形状に設けられている。連結体１５の上面中央領域には、縦長の長方形状をなす枠状リブ３２が立設され、この枠状リブ３２の上面高さは、図１３に示されるように、前記突起状体２７の頂部２７Ｂの高さと略同一に設定されている。図２及び図１４に示されるように、連結体１５の下面には、格子状リブ３３が垂下している。この格子状リブ３３は、縦及び横方向に隣り合う補助収納部１３を連結するように配置されているとともに、その下端面が前記膨出部２９の下面より上方に位置する高さに設定されている。連結体１５の下面における図１中上下両側領域であって、連結体１５を横方向に略三等分する位置には、複数の位置決め突部３４が設けられている。各位置決め突部３４は、その下端面が枠状体１６の下端面と略同一の高さとなるように形成されている。
【００３１】
前記枠状体１６は、連結体１５の外周側から垂下する下部形成体３６と、この下部形成体３６の上部内側に立設された上部形成体３７とを備えている。下部形成体３６は、内周面が傾斜面とされるとともに、その下端面が前記突起体３０の下端より低くなるように設定されている。上部形成体３７は、外周面が傾斜面とされるとともに、その上端面が前記突起状部２７の頂部２７Ｂの高さと略同一に設定されている。ここで、図１５に示されるように、複数の収納容器１０を上下に積み重ねた場合、下部形成体３６の上部に、他の収納容器１０の下部形成体３６の下面が載置されるとともに、下部形成体３６及び上部形成体３７の前記各傾斜面が相対して嵌り合うようになる。図２中上下両側に位置する下部形成体３６の左右両側には、下向き凹状（図３参照）をなす切欠部３９がそれぞれ形成されている。また、枠状体１６の図３中左右両側には、正面視で鈎状をなすフック部４０が連なって設けられている。
【００３２】
なお、図１及び図１３に示されるように、前述の枠状リブ３２の内側に位置する収納部１１と、図１中左側及び右側から二列目の中央側の二つの収納部１１は、貫通穴２５を省略した構成となっている。従って、所定の吸着グリッド等を介して収納容器１０を搬送する場合、当該吸着グリッドを枠状リブ３２に重なるように配置することにより吸着保持を行えるようになる。
【００３３】
以上の構成において、収納部１１の収納空間Ａ内にチップＣを収納する場合、図４に示されるように、出し入れ口１８上方から図示しないピックアップ装置等を介してチップＣを落とし込めばよい。これにより、図６ないし図８に示されるように、当接部２３にチップＣの端子Ｂが当接し、チップＣが略水平方向に移動することが規制されるとともに、基板Ｋの端面Ｋ１と起立部２０とが非接触に保たれることとなる。
【００３４】
チップＣを落とし込む直前において、チップＣが水平方向に位置ずれすると、チップＣが収納空間Ａに収納される前に、基板Ｋの外周側に突起状部２７の傾斜面２７Ｃが散点的に接触する。そして、チップＣが傾斜面２７Ｃを滑りながら出し入れ口１８側に下降して収納空間Ａ内に案内される。
また、チップＣが基板Ｋの面内で回転する方向にも位置ずれが生じた場合、当該回転方向への位置ずれを補正して収納空間Ａ内に収納される。具体的には、傾斜面２７Ｃが下方に向かうに従って幅広となる、すなわち、隣り合う傾斜面２７Ｃの間隔が狭くなるので、傾斜面２７Ｃを滑り落ちる過程で、出し入れ口１８の形成縁と基板Ｋの端面Ｋ１とが略平行となるようにチップＣに回転力が付与されて収納空間Ａ内に案内されることとなる。
【００３５】
ここで、図１５に示されるように、上下に二つの収納容器１０を重ねたときに、下方に位置する収納容器１０（以下、「下収納容器１０Ａ」とする）の各突起状部２７の間に、上方に位置する収納容器１０（以下、「上収納容器１０Ｂ」とする）の突起体３０が入り込む。これにより、前記各突起状部２７及び突起体３０により筒状の周壁を形成するようになり、下収納容器１０Ａの収納部１１が上収納容器１０Ｂの補助収納部１３によって閉蓋されるようになる。
この状態で、下収納容器１０Ａの各収納部１１にチップＣを収納し、各収納容器１０Ａ，１０Ｂを上下反転させると、前記各突起状部２７及び突起体３０の間を通過し、図１６に示されるように、端子Ｂを上向きとしてチップＣが上収納容器１０Ｂの補助収納部１３内に受け渡される。このとき、補助収納部１３は、前記出し入れ口１８を下方に向けたときに、チップＣを下側から保持した状態で収納する。
【００３６】
また、図１４に示されるように、収納容器１０を搬送すべく片状部材Ｈを介して下から持ち上げる場合、当該片状部材Ｈが位置決め突部３４の下面に接するようにすればよい。これにより、片状部材Ｈの向きと、連結体１５の向きとを略平行に維持することができ、収納容器１０を持ち上げた後で連結体１５の傾きを調整する作業等を省略できる。
【００３７】
従って、このような実施形態によれば、当接部２３が基板Ｋの端面Ｋ１寄りに位置する端子Ｂの外周面に当接するので、載置部２２の幅Ｗ２（図９参照）を大きくしても、チップＣの水平方向の移動を規制することができる。これにより、端子形成領域ＢＡが同一サイズであれば、基板Ｋの外形やサイズが異なる種々のチップＣを収納可能となり、収納容器１０の汎用性を高めることができる。
また、前述のように、複数の収納容器１０を用いることにより、チップＣを簡単に裏返すことができ、通電検査等のテスト工程において、チップＣの両面を迅速に表出させることができる。しかも、下収納容器１０Ａの各突起状部２７と、上収納容器１０Ｂの各突起体３０とでチップＣが囲われるようになり、チップＣの保管にも適したものとなる。
更に、連結体１５の下面における格子状リブ３３や位置決め突部３４によって、連結体１５の補強作用を得ることができ、撓み変形を抑制することが可能となる。
【００３８】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３９】
例えば、前記実施形態において、チップＣにおける端子Ｂの形成数は、説明の便宜上、例示したものであり、前述した規定に応じて適宜変更してもよい。また、基板Ｋの平面形状は、略長方形状にする等、種々の変更が可能であり、これに応じて出し入れ口１８等が相似形となるように収納部１１の形状を変更すればよい。
【００４０】
更に、収納部１１の設置数は、少なくとも一つあればよく、必要に応じて増減してもよい。
【００４１】
また、収納部１１における穴２５は、全ての収納部１１において省略した構成としてもよい。更に、当接部２３は、種々の設計変更が可能であり、例えば、図１７（Ａ）及び（Ｂ）に示される構成に代替することが可能である。図１７（Ａ）において、当接部２３は、傾斜角度が段階的に変化するテーパ面とされ、上方領域の方が下方領域より、鉛直方向に対する傾斜角度が大きくなるように形成されている。また、図１７（Ｂ）において、当接部２３は、各端子Ｂに対応する載置部２２上の領域に形成された凹部により構成される。要するに、当接部２３は、端子Ｂの外周面に当接してチップＣの略水平方向移動を規制可能であればよい。
【図面の簡単な説明】
【００４２】
【図１】実施形態に係る収納容器の概略平面図。
【図２】図１の底面図。
【図３】図１の正面図。
【図４】図１の要部拡大斜視図。
【図５】（Ａ）は、チップの正面図、（Ｂ）は、その平面図。
【図６】図４の平面図。
【図７】図６のＡ−Ａ線に沿う断面図。
【図８】図６のＢ−Ｂ線に沿う断面図。
【図９】出し入れ口内部を拡大した平面図。
【図１０】図６のＣ−Ｃ線に沿う断面図。
【図１１】図６のＤ−Ｄ線に沿う断面図。
【図１２】図６の底面図。
【図１３】図１中Ｅ部のＦ−Ｆ線に沿う拡大断面図。
【図１４】図２のＧ−Ｇ線に沿う一部拡大断面図。
【図１５】二つの収納容器を重ねた状態を示す図１４と同様の断面図。
【図１６】収納容器を上下反転させた状態の図７と同様の断面図。
【図１７】（Ａ）及び（Ｂ）は、変形例に係る収納部の断面図。
【符号の説明】
【００４３】
１０・・・収納容器、１１・・・収納部、１２・・・ガイド部、１３・・・補助収納部、１５・・・連結体、１６・・・枠状体、１８・・・出し入れ口、２０・・・起立部、２２・・・載置部、２３・・・当接部、２７・・・突起状部、２７Ｃ・・・傾斜面、３０・・・突起体、３４・・・位置決め突部、Ｃ・・・チップ、Ｂ・・・端子、Ｋ・・・基板
【図１】
2006273347.tif 000003
【図２】
2006273347.tif 000004
【図３】
2006273347.tif 000005
【図４】
2006273347.tif 000006
【図５】
2006273347.tif 000007
【図６】
2006273347.tif 000008
【図７】
2006273347.tif 000009
【図８】
2006273347.tif 000010
【図９】
2006273347.tif 000011
【図１０】
2006273347.tif 000012
【図１１】
2006273347.tif 000013
【図１２】
2006273347.tif 000014
【図１３】
2006273347.tif 000015
【図１４】
2006273347.tif 000016
【図１５】
2006273347.tif 000017
【図１６】
2006273347.tif 000018
【図１７】
2006273347.tif 000019